【手続補正書】
【提出日】平成29年1月19日(2017.1.19)
【手続補正１】
【補正対象書類名】明細書
【補正対象項目名】００３４
【補正方法】変更
【補正の内容】
【００３４】
さらに提供されるのは、第１の透明層の表面中に光学的可変効果を生成するレリーフ構造を形成することと、
該レリーフの輪郭に従う反射増強層を形成するように、該レリーフ構造の上に反射増強材料を適用することと、
該反射増強材料にわたって第２の透明層を提供することと、
該反射増強材料の横方向の大きさが第２の透明層の横方向の大きさに相当するように、該反射増強材料が該第２の透明層によって覆われていないデバイスの領域から該反射増強材料を除去することと、
を含む、セキュリティーデバイスの製造方法であって、
少なくとも光学的に有効な物質が見える波長の照明下で、該第２の透明層を通して見た場合と比較して、該第１の透明層を通して見た場合に、該レリーフ構造によって生成された該光学的可変効果の外観が異なるように、該第１の透明層および／または第２の透明層が、光学的に有効な物質を含む、方法である。
【手続補正２】
【補正対象書類名】明細書
【補正対象項目名】００９５
【補正方法】変更
【補正の内容】
【００９５】
上記の種類のセキュリティー証書を取り込むための多くの代替技術が知られており、そして使用できるであろう。例えば、上記のデバイス構造は、ＩＤカード、運転免許証、銀行カードおよび他のラミネート構造を含む他のタイプのセキュリティー証書の上に直接形成でき、この場合、セキュリティーデバイスは、証書の多層構造中に直接取り込まれることができるであろう。
（態様）
（態様１）
第１の透明層の表面上に形成された光学的可変効果を生成するレリーフ構造を有する第１の透明層と、
該レリーフ構造にわたって伸びかつ該レリーフの輪郭に従う反射増強層と、
該反射増強層にわたって伸びる第２の透明層と、
を含む、セキュリティーデバイスであって、
該第２の透明層の横方向の大きさが、該セキュリティーデバイスの全領域より小さくかつ該反射増強層の横方向の大きさに相当し、
第２の透明層から見た場合と比較して該第１の透明層から見た場合に、少なくとも（複数の）光学的に有効な物質の少なくとも１つが見える波長の照明下において、該レリーフ構造によって生成された該光学的可変効果の外観が異なるように、該第１の透明層および／または第２の透明層は、１種または２種以上の光学的に有効な物質を含む、
セキュリティーデバイス。
（態様２）
該第１の透明層と第２の透明層との一方のみが、光学的に有効な物質を含み、該第１の透明層と第２の透明層とのもう一方が、任意の波長の照明下で無色に見える、態様１に記載のセキュリティーデバイス。
（態様３）
該第１の透明層および第２の透明層のそれぞれが、異なる光学的に有効な物質を含む、態様１に記載のセキュリティーデバイス。
（態様４）
該第１の透明層および／または第２の透明層が、それぞれの層にその色が可視波長の照明下で見える着色した色合いを与える１種または２種以上の（複数の）光学的に有効な物質を含む、態様１〜３のいずれか一項に記載のセキュリティーデバイス。
（態様５）
該第１の透明層が、第１の色の可視の着色した色合いを有し、そして該第２の透明層が、第２の異なる色の可視の着色した色合いを有する、態様４に記載のセキュリティーデバイス。
（態様６）
該第１の透明層および／または第２の透明層が、可視スペクトルの外側の選択された波長、好ましくは紫外波長または赤外波長の照明下においてのみ可視である、１種または２種以上の（複数の）光学的に有効な物質を含む、態様１〜５のいずれか一項に記載のセキュリティーデバイス。
（態様７）
該第１の透明層および／または第２の透明層が、温度、圧力、歪みまたは電位の１種または２種以上の変化に応答して外観の変化を受ける１種または２種以上の（複数の）光学的に有効な物質を含む、態様１〜６のいずれか一項に記載のセキュリティーデバイス。
（態様８）
該（複数の）光学的に有効な物質が、染料および／または顔料を含む、態様１〜７のいずれか一項に記載のセキュリティーデバイス。
（態様９）
該第２の透明層が、パターンで並べられた少なくとも２つの透明な材料を含み、少なくとも該光学的に有効な物質が見える波長の照明下において、該第２の透明層から見た場合に、該レリーフ構造によって生成された該光学的可変効果の外観が該パターンによって改変されているように、該透明な材料の少なくとも１つが光学的に有効な物質を含む、態様１〜８のいずれか一項に記載のセキュリティーデバイス。
（態様１０）
該少なくとも２つの透明な材料が、それぞれ、異なる光学的に変化できる物質を含む、態様９に記載のセキュリティーデバイス。
（態様１１）
該第２の透明層が、１種または２種以上のポリマー材料、好ましくは該第２の透明層中に分散した１種または２種以上の（複数の）光学的に有効な物質を有する１種または２種以上のポリマー材料を含む、態様１〜１０のいずれか一項に記載のセキュリティーデバイス。
（態様１２）
該第２の透明層が、該デバイスから該反射層の材料を除去するのに好適なエッチング液に耐性を有するレジスト材料を含む、態様１〜１１のいずれか一項に記載のセキュリティーデバイス。
（態様１３）
該第２の透明層が、０.５μｍ〜５μｍ、好ましくは１μｍ〜２μｍの厚さを有する、態様１〜１２のいずれか一項に記載のセキュリティーデバイス。
（態様１４）
該第２の透明層が、印刷層、好ましくはグラビア印刷、フレキソ印刷またはスロットダイ印刷によって形成された印刷層である、態様１〜１３のいずれか一項に記載のセキュリティーデバイス。
（態様１５）
該反射増強層および第２の透明層の横方向の大きさが、該レリーフ構造の横方向の大きさと一致していない、態様１〜１４のいずれか一項に記載のセキュリティーデバイス。
（態様１６）
該反射増強層および第２の透明層が、少なくとも１つの方向に、好ましくは全ての方向に、好ましくは少なくとも１００μｍで、該レリーフ構造の外周を超えて伸びている、態様１５に記載のセキュリティーデバイス。
（態様１７）
該反射増強層および第２の透明層の横方向の大きさが、堅牢なまたは装飾的な、形またはパターン、好ましくは細線パターン、または情報の項目、好ましくは数、文字、英数字テキスト、記号または図を規定する、態様１〜１６のいずれか一項に記載のセキュリティーデバイス。
（態様１８）
該第２の透明層が、該レリーフ構造に一致している、態様１〜１７のいずれか一項に記載のセキュリティーデバイス。
（態様１９）
該反射増強層が、該レリーフ構造のプロファイル深さより薄い厚さを有する、態様１〜１８のいずれか一項に記載のセキュリティーデバイス。
（態様２０）
該反射増強層が、見かけ上不連続な少なくとも２つの横方向のオフセット領域を含む、態様１〜１９のいずれか一項に記載のセキュリティーデバイス。
（態様２１）
該反射増強層が半透明である、態様１〜２０のいずれか一項に記載のセキュリティーデバイス。
（態様２２）
該反射増強層が、不連続な要素からなる遮蔽機能を含む、態様１〜２１のいずれか一項に記載のセキュリティーデバイス。
（態様２３）
該反射増強層が、
１種または２種以上の金属またはそれらの合金、好ましくは銅および／またはアルミニウム、
光学干渉薄膜構造、
金属性粒子、光学的に変化できる粒子、または光学的に変化できる磁性粒子を含む層、
フォトニック結晶層、または、
液晶層、
のいずれかを含む、態様１〜２２のいずれか一項に記載のセキュリティーデバイス。
（態様２４）
該光学的可変効果を生成するレリーフ構造が、ホログラム、回折格子、またはＫｉｎｅｇｒａｍ（商標）などの回折構造、またはプリズム構造などの非回折マイクロ光学構造を含む、態様１〜２３のいずれか一項に記載のセキュリティーデバイス。
（態様２５）
該第１の透明層が、熱可塑性ポリマーまたは硬化性ポリマー、好ましくはＵＶ硬化性ポリマーを含む、態様１〜２４のいずれか一項に記載のセキュリティーデバイス。
（態様２６）
該第１の透明層が、基材、好ましくはセキュリティー証書基材またはセキュリティー物品基材の一体部分を形成する、態様１〜２５のいずれか一項に記載のセキュリティーデバイス。
（態様２７）
該第１の透明層が、基材、好ましくはセキュリティー証書基材またはセキュリティー物品基材上に配置されている、態様１〜２５のいずれか一項に記載のセキュリティーデバイス。
（態様２８）
１つまたは２つ以上の透明接着剤層をさらに含む、態様１〜２７のいずれか一項に記載のセキュリティーデバイス。
（態様２９）
態様１〜２８のいずれか一項に記載のセキュリティーデバイスを含むセキュリティー物品であって、好ましくは転写バンドまたは転写シート、セキュリティースレッド、箔、パッチ、ラベルまたはストリップを含む、セキュリティー物品。
（態様３０）
態様１〜２８のいずれか一項に記載のセキュリティーデバイスまたは態様２９に記載のセキュリティー物品を含むセキュリティー証書であって、好ましくは紙幣、小切手、ＩＤ証書、証明書、株券、ビザ、パスポート、運転免許証、銀行カード、またはＩＤカードを含む、セキュリティー証書。
（態様３１）
第１の透明層の表面中に光学的可変効果を生成するレリーフ構造を形成することと、
該レリーフの輪郭に従う反射増強層を形成するように、該レリーフ構造の上に反射増強材料を適用することと、
該反射増強材料にわたって第２の透明層を適用することと、
該反射増強材料の横方向の大きさが第２の透明層の横方向の大きさに相当するように、該反射増強材料が該第２の透明層によって覆われていないデバイスの領域から該反射増強材料を除去することと、
を含む、セキュリティーデバイスの製造方法であって、
少なくとも光学的に有効な物質が見える波長の照明下で、該第２の透明層を通して見た場合と比較して、該第１の透明層を通して見た場合に、該レリーフ構造によって生成された該光学的可変効果の外観が異なるように、該第１の透明層および／または第２の透明層が光学的に有効な物質を含む、方法。
（態様３２）
第１の透明層と第２の透明層との１つのみが光学的に有効な物質を含み、該第１の透明層と第２の透明層とのもう一方が任意の波長の照明下で無色に見える、態様３１に記載の方法。
（態様３３）
該第１の透明層および第２の透明層のそれぞれが、異なる光学的に有効な物質を含む、態様３１に記載の方法。
（態様３４）
該第１の透明層および／または第２の透明層が、それぞれの層にその色が可視波長の照明下で見える着色した色合いを与える１種または２種以上の（複数の）光学的に有効な物質を含む、態様３１〜３３のいずれか一項に記載の方法。
（態様３５）
該第１の透明層が、第１の色の可視の着色した色合いを有し、そして該第２の透明層が、第２の異なる色の可視の着色した色合いを有する、態様３４に記載の方法。
（態様３６）
該第１の透明層および／または第２の透明層が、可視スペクトルの外側の選択された波長、好ましくは紫外波長または赤外波長の照明下においてのみ可視である１種または２種以上の（複数の）光学的に有効な物質を含む、態様３１〜３５のいずれか一項に記載の方法。
（態様３７）
該第１の透明層および／または第２の透明層が、温度、圧力、歪みまたは電位の１種または２種以上の変化に応答して外観の変化を受ける１種または２種以上の（複数の）光学的に有効な物質を含む、態様３１〜３６のいずれか一項に記載の方法。
（態様３８）
該第２の透明層を適用することがパターンで少なくとも２つの透明な材料を適用することを含み、該レリーフ構造によって生成された該光学的可変効果の外観が、少なくとも該光学的に有効な物質が可視である波長の照明下で該第２の透明層を通して見た場合に、該パターンによって改変されるように、該透明な材料の少なくとも１つが光学的に有効な物質を含む、態様３１〜３７のいずれか一項に記載の方法。
（態様３９）
該少なくとも２つの透明な材料が、それぞれ、異なる光学的に変化できる物質を含む、態様３８に記載の方法。
（態様４０）
該光学的可変効果を生成するレリーフ構造が、エンボス加工またはキャスティング硬化、好ましくはＵＶキャスティング硬化によって、該第１の透明層の表面中に形成される、態様３１〜３９のいずれか一項に記載の方法。
（態様４１）
該反射増強層が、該レリーフ構造にわたって連続層で適用される、態様３１〜４０のいずれか一項に記載の方法。
（態様４２）
該反射増強層が、真空蒸着によって適用される、態様３１〜４１のいずれか一項に記載の方法。
（態様４３）
該反射増強層が、該レリーフ構造のプロファイル深さより小さい厚さを有する、態様３１〜４２のいずれか一項に記載の方法。
（態様４４）
該反射増強層が、半透明である、態様３１〜４３のいずれか一項に記載の方法。
（態様４５）
該反射増強層が、
１種または２種以上の金属またはそれらの合金、好ましくは銅および／またはアルミニウム、
光学干渉薄膜構造、
金属性粒子、光学的に変化できる粒子、または光学的に変化できる磁性粒子を含む層、
フォトニック結晶層、または
液晶層、
のいずれかを含む、態様３１〜４４のいずれか一項に記載の方法。
（態様４６）
該第２の透明層が、印刷、好ましくはグラビア印刷、フレキソ印刷またはスロットダイ印刷によって適用される、態様３１〜４５のいずれか一項に記載の方法。
（態様４７）
該第２の透明層が、該レリーフ構造と一致して適用される、態様３１〜４６のいずれか一項に記載の方法。
（態様４８）
該第２の透明層が、ポリマー材料、好ましくはポリマー材料の中に分散した光学的に有効な物質を有するポリマー材料を含む、態様３１〜４７のいずれか一項に記載の方法。
（態様４９）
堅牢なまたは装飾的な、形またはパターン、好ましくは細線パターン、または情報の項目、好ましくは数、文字、英数字テキスト、記号または図を規定するように、該第２の透明層が適用される、態様３１〜４８のいずれか一項に記載の方法。
（態様５０）
該第２の透明層が、見かけ上不連続な少なくとも２つの横方向のオフセット領域を画定するように適用される、態様３１〜４９のいずれか一項に記載の方法。
（態様５１）
該第２の透明層が、不連続な要素からなる遮蔽機能を規定するように適用される、態様３１〜５０のいずれか一項に記載の方法。
（態様５２）
該反射増強層の材料がエッチングによって除去され、該第２の透明層がエッチングレジストとして作用する、態様３１〜５１のいずれか一項に記載の方法。
（態様５３）
該光学的可変効果を生成するレリーフ構造が、ホログラム、回折格子、Ｋｉｎｅｇｒａｍ（商標）などの回折構造、またはプリズム構造などの非回折マイクロ光学構造を含む、態様３１〜５２のいずれか一項に記載の方法。
（態様５４）
該第１の透明層が、熱可塑性ポリマーまたは硬化性ポリマー、好ましくはＵＶ硬化性ポリマーを含む、態様３１〜５３のいずれか一項に記載の方法。
（態様５５）
該第１の透明層が、基材、好ましくはセキュリティー証書基材またはセキュリティー物品基材の一体部分を形成する、態様３１〜５４のいずれか一項に記載の方法。
（態様５６）
該第１の透明層が、基材、好ましくはセキュリティー証書基材またはセキュリティー物品基材上に配置されている、態様３１〜５５のいずれか一項に記載の方法。
（態様５７）
１つまたは２つ以上の透明接着剤層を適用することをさらに含む、態様３１〜５６のいずれか一項に記載の方法。
（態様５８）
態様３１〜５７のいずれか一項により製造された、セキュリティーデバイス。
【手続補正３】
【補正対象書類名】特許請求の範囲
【補正対象項目名】全文
【補正方法】変更
【補正の内容】
【特許請求の範囲】
【請求項１】
第１の透明層の表面上に形成された光学的可変効果を生成するレリーフ構造を有する第１の透明層と、
該レリーフ構造にわたって伸びかつ該光学的可変効果が両側上で示されるように反射増強層の両表面が該レリーフ構造の輪郭に従う反射増強層と、
該反射増強層にわたって伸びる第２の透明層と、
を含む、セキュリティーデバイスであって、
該第２の透明層の横方向の大きさが、該セキュリティーデバイスの全領域より小さくかつ該反射増強層の横方向の大きさに相当し、
第２の透明層から見た場合と比較して該第１の透明層から見た場合に、少なくとも（複数の）光学的に有効な物質の少なくとも１つが見える波長の照明下において、該レリーフ構造によって生成された該光学的可変効果の外観が異なるように、該第１の透明層および／または第２の透明層は、１種または２種以上の光学的に有効な物質を含み、
該反射増強層および第２の透明層の横方向の大きさが、該レリーフ構造の横方向の大きさと一致していない、セキュリティーデバイス。
【請求項２】
該反射増強層および第２の透明層が、少なくとも１つの方向に、好ましくは全ての方向に、好ましくは少なくとも１００μｍで、該レリーフ構造の外周を超えて伸びている、請求項１に記載のセキュリティーデバイス。
【請求項３】
第１の透明層の表面上に形成された光学的可変効果を生成するレリーフ構造を有する第１の透明層と、
該レリーフ構造にわたって伸びかつ該光学的可変効果が両側上で示されるように反射増強層の両表面が該レリーフ構造の輪郭に従う反射増強層と、
該反射増強層にわたって伸びる第２の透明層と、
を含む、セキュリティーデバイスであって、
該第２の透明層の横方向の大きさが、該セキュリティーデバイスの全領域より小さくかつ該反射増強層の横方向の大きさに相当し、
第２の透明層から見た場合と比較して該第１の透明層から見た場合に、少なくとも（複数の）光学的に有効な物質の少なくとも１つが見える波長の照明下において、該レリーフ構造によって生成された該光学的可変効果の外観が異なるように、該第１の透明層および／または第２の透明層は、１種または２種以上の光学的に有効な物質を含み、
該第２の透明層が、パターンで並べられた少なくとも２つの透明な材料を含み、少なくとも該光学的に有効な物質が見える波長の照明下において、該第２の透明層から見た場合に、該レリーフ構造によって生成された該光学的可変効果の外観が該パターンによって改変されているように、該透明な材料の少なくとも１つが光学的に有効な物質を含む、
セキュリティーデバイス。
【請求項４】
該第１の透明層と第２の透明層との一方のみが、光学的に有効な物質を含み、該第１の透明層と第２の透明層とのもう一方が、任意の波長の照明下で無色に見える、請求項１〜３のいずれか一項に記載のセキュリティーデバイス。
【請求項５】
該第１の透明層および第２の透明層のそれぞれが、異なる光学的に有効な物質を含む、請求項１〜３のいずれか一項に記載のセキュリティーデバイス。
【請求項６】
該第１の透明層および／または第２の透明層が、それぞれの層にその色が可視波長の照明下で見える着色した色合いを与える１種または２種以上の（複数の）光学的に有効な物質を含む、請求項１〜５のいずれか一項に記載のセキュリティーデバイス。
【請求項７】
該第１の透明層が、第１の色の可視の着色した色合いを有し、そして該第２の透明層が、第２の異なる色の可視の着色した色合いを有する、請求項６に記載のセキュリティーデバイス。
【請求項８】
該第１の透明層および／または第２の透明層が、可視スペクトルの外側の選択された波長、好ましくは紫外波長または赤外波長の照明下においてのみ可視である、１種または２種以上の（複数の）光学的に有効な物質を含む、請求項１〜７のいずれか一項に記載のセキュリティーデバイス。
【請求項９】
該第１の透明層および／または第２の透明層が、温度、圧力、歪みまたは電位の１種または２種以上の変化に応答して外観の変化を受ける１種または２種以上の（複数の）光学的に有効な物質を含む、請求項１〜８のいずれか一項に記載のセキュリティーデバイス。
【請求項１０】
該（複数の）光学的に有効な物質が、染料および／または顔料を含む、請求項１〜９のいずれか一項に記載のセキュリティーデバイス。
【請求項１１】
該少なくとも２つの透明な材料が、それぞれ、異なる光学的に変化できる物質を含む、請求項３または請求項３に従属する場合請求項４〜１０のいずれか一項に記載のセキュリティーデバイス。
【請求項１２】
該第２の透明層が、１種または２種以上のポリマー材料、好ましくは該第２の透明層中に分散した１種または２種以上の（複数の）光学的に有効な物質を有する１種または２種以上のポリマー材料を含む、請求項１〜１１のいずれか一項に記載のセキュリティーデバイス。
【請求項１３】
該第２の透明層が、該デバイスから該反射層の材料を除去するのに好適なエッチング液に耐性を有するレジスト材料を含む、請求項１〜１２のいずれか一項に記載のセキュリティーデバイス。
【請求項１４】
該第２の透明層が、０.５μｍ〜５μｍ、好ましくは１μｍ〜２μｍの厚さを有する、請求項１〜１３のいずれか一項に記載のセキュリティーデバイス。
【請求項１５】
該第２の透明層が、印刷層、好ましくはグラビア印刷、フレキソ印刷またはスロットダイ印刷によって形成された印刷層である、請求項１〜１４のいずれか一項に記載のセキュリティーデバイス。
【請求項１６】
該反射増強層および第２の透明層の横方向の大きさが、堅牢なまたは装飾的な、形またはパターン、好ましくは細線パターン、または情報の項目、好ましくは数、文字、英数字テキスト、記号または図を規定する、請求項１〜１５のいずれか一項に記載のセキュリティーデバイス。
【請求項１７】
該第２の透明層が、該レリーフ構造に一致している、請求項１〜１６のいずれか一項に記載のセキュリティーデバイス。
【請求項１８】
該反射増強層が、該レリーフ構造のプロファイル深さより薄い厚さを有する、請求項１〜１７のいずれか一項に記載のセキュリティーデバイス。
【請求項１９】
該反射増強層が、見かけ上不連続な少なくとも２つの横方向のオフセット領域を含む、請求項１〜１８のいずれか一項に記載のセキュリティーデバイス。
【請求項２０】
該反射増強層が半透明である、請求項１〜１９のいずれか一項に記載のセキュリティーデバイス。
【請求項２１】
該反射増強層が、不連続な要素からなる遮蔽機能を含む、請求項１〜２０のいずれか一項に記載のセキュリティーデバイス。
【請求項２２】
該反射増強層が、
１種または２種以上の金属またはそれらの合金、好ましくは銅および／またはアルミニウム、
光学干渉薄膜構造、
金属性粒子、光学的に変化できる粒子、または光学的に変化できる磁性粒子を含む層、
フォトニック結晶層、または、
液晶層、
のいずれかを含む、請求項１〜２１のいずれか一項に記載のセキュリティーデバイス。
【請求項２３】
該光学的可変効果を生成するレリーフ構造が、ホログラム、回折格子、またはＫｉｎｅｇｒａｍ（商標）などの回折構造、またはプリズム構造などの非回折マイクロ光学構造を含む、請求項１〜２２のいずれか一項に記載のセキュリティーデバイス。
【請求項２４】
該第１の透明層が、熱可塑性ポリマーまたは硬化性ポリマー、好ましくはＵＶ硬化性ポリマーを含む、請求項１〜２３のいずれか一項に記載のセキュリティーデバイス。
【請求項２５】
該第１の透明層が、基材、好ましくはセキュリティー証書基材またはセキュリティー物品基材の一体部分を形成する、請求項１〜２４のいずれか一項に記載のセキュリティーデバイス。
【請求項２６】
該第１の透明層が、基材、好ましくはセキュリティー証書基材またはセキュリティー物品基材上に配置されている、請求項１〜２５のいずれか一項に記載のセキュリティーデバイス。
【請求項２７】
１つまたは２つ以上の透明接着剤層をさらに含む、請求項１〜２６のいずれか一項に記載のセキュリティーデバイス。
【請求項２８】
請求項１〜２７のいずれか一項に記載のセキュリティーデバイスを含むセキュリティー物品であって、好ましくは転写バンドまたは転写シート、セキュリティースレッド、箔、パッチ、ラベルまたはストリップを含む、セキュリティー物品。
【請求項２９】
請求項１〜２７のいずれか一項に記載のセキュリティーデバイスまたは請求項２８に記載のセキュリティー物品を含むセキュリティー証書であって、好ましくは紙幣、小切手、ＩＤ証書、証明書、株券、ビザ、パスポート、運転免許証、銀行カード、またはＩＤカードを含む、セキュリティー証書。
【請求項３０】
第１の透明層の表面中に光学的可変効果を生成するレリーフ構造を形成することと、
該レリーフ構造の上に反射増強材料を適用して、該光学的可変効果が両側上で示されるように反射増強層の両表面が該レリーフ構造の輪郭に従う反射増強層を形成することと、
該反射増強材料にわたって第２の透明層を適用すること、
該反射増強材料の横方向の大きさが第２の透明層の横方向の大きさに相当するように、該反射増強材料が該第２の透明層によって覆われていないデバイスの領域から該反射増強材料を除去することと、
を含む、セキュリティーデバイスの製造方法であって、
少なくとも光学的に有効な物質が見える波長の照明下で、該第２の透明層を通して見た場合と比較して、該第１の透明層を通して見た場合に、該レリーフ構造によって生成された該光学的可変効果の外観が異なるように、該第１の透明層および／または第２の透明層が光学的に有効な物質を含み、
該反射増強材料および第２の透明層の横方向の大きさが、該レリーフ構造の横方向の大きさと一致していない、方法。
【請求項３１】
該反射増強層および第２の透明層が、少なくとも１つの方向に、好ましくは全ての方向に、好ましくは少なくとも１００μｍで、該レリーフ構造の外周を超えて伸びている、請求項３０に記載の方法。
【請求項３２】
第１の透明層の表面中に光学的可変効果を生成するレリーフ構造を形成することと、
該レリーフ構造の上に反射増強材料を適用して、該光学的可変効果が両側上で示されるように反射増強層の両表面が該レリーフ構造の輪郭に従う反射増強層を形成することと、
該反射増強材料にわたって第２の透明層を適用すること、
該反射増強材料の横方向の大きさが第２の透明層の横方向の大きさに相当するように、該反射増強材料が該第２の透明層によって覆われていないデバイスの領域から該反射増強材料を除去することと、
を含む、セキュリティーデバイスの製造方法であって、
少なくとも光学的に有効な物質が見える波長の照明下で、該第２の透明層を通して見た場合と比較して、該第１の透明層を通して見た場合に、該レリーフ構造によって生成された該光学的可変効果の外観が異なるように、該第１の透明層および／または第２の透明層が光学的に有効な物質を含み、
該第２の透明層を適用することがパターンで少なくとも２つの透明な材料を適用することを含み、少なくとも該光学的に有効な物質が見える波長の照明下で該第２の透明層を通して見た場合に、該レリーフ構造によって生成された該光学的可変効果の外観が該パターンによって改変されるように、該透明な材料の少なくとも１つが光学的に有効な物質を含む、方法。
【請求項３３】
第１の透明層と第２の透明層との１つのみが光学的に有効な物質を含み、該第１の透明層と第２の透明層とのもう一方が任意の波長の照明下で無色に見える、請求項３０〜３２のいずれか一項に記載の方法。
【請求項３４】
該第１の透明層および第２の透明層のそれぞれが、異なる光学的に有効な物質を含む、請求項３０〜３２のいずれか一項に記載の方法。
【請求項３５】
該第１の透明層および／または第２の透明層が、それぞれの層にその色が可視波長の照明下で見える着色した色合いを与える１種または２種以上の（複数の）光学的に有効な物質を含む、請求項３０〜３４のいずれか一項に記載の方法。
【請求項３６】
該第１の透明層が、第１の色の可視の着色した色合いを有し、そして該第２の透明層が、第２の異なる色の可視の着色した色合いを有する、請求項３５に記載の方法。
【請求項３７】
該第１の透明層および／または第２の透明層が、可視スペクトルの外側の選択された波長、好ましくは紫外波長または赤外波長の照明下においてのみ可視である１種または２種以上の（複数の）光学的に有効な物質を含む、請求項３０〜３６のいずれか一項に記載の方法。
【請求項３８】
該第１の透明層および／または第２の透明層が、温度、圧力、歪みまたは電位の１種または２種以上の変化に応答して外観の変化を受ける１種または２種以上の（複数の）光学的に有効な物質を含む、請求項３０〜３７のいずれか一項に記載の方法。
【請求項３９】
該少なくとも２つの透明な材料が、それぞれ、異なる光学的に変化できる物質を含む、請求項３２または請求項３２に従属する場合請求項３３〜３８のいずれか一項に記載の方法。
【請求項４０】
該光学的可変効果を生成するレリーフ構造が、エンボス加工またはキャスティング硬化、好ましくはＵＶキャスティング硬化によって、該第１の透明層の表面中に形成される、請求項３０〜３９のいずれか一項に記載の方法。
【請求項４１】
該反射増強層が、該レリーフ構造にわたって連続層で適用される、請求項３０〜４０のいずれか一項に記載の方法。
【請求項４２】
該反射増強層が、真空蒸着によって適用される、請求項３０〜４１のいずれか一項に記載の方法。
【請求項４３】
該反射増強層が、該レリーフ構造のプロファイル深さより小さい厚さを有する、請求項３０〜４２のいずれか一項に記載の方法。
【請求項４４】
該反射増強層が、半透明である、請求項３０〜４３のいずれか一項に記載の方法。
【請求項４５】
該反射増強層が、
１種または２種以上の金属またはそれらの合金、好ましくは銅および／またはアルミニウム、
光学干渉薄膜構造、
金属性粒子、光学的に変化できる粒子、または光学的に変化できる磁性粒子を含む層、
フォトニック結晶層、または
液晶層、
のいずれかを含む、請求項３０〜４４のいずれか一項に記載の方法。
【請求項４６】
該第２の透明層が、印刷、好ましくはグラビア印刷、フレキソ印刷またはスロットダイ印刷によって適用される、請求項３０〜４５のいずれか一項に記載の方法。
【請求項４７】
該第２の透明層が、該レリーフ構造と一致して適用される、請求項３０〜４６のいずれか一項に記載の方法。
【請求項４８】
該第２の透明層が、ポリマー材料、好ましくはポリマー材料の中に分散した光学的に有効な物質を有するポリマー材料を含む、請求項３０〜４７のいずれか一項に記載の方法。
【請求項４９】
堅牢なまたは装飾的な、形またはパターン、好ましくは細線パターン、または情報の項目、好ましくは数、文字、英数字テキスト、記号または図を規定するように、該第２の透明層が適用される、請求項３０〜４８のいずれか一項に記載の方法。
【請求項５０】
該第２の透明層が、見かけ上不連続な少なくとも２つの横方向のオフセット領域を画定するように適用される、請求項３０〜４９のいずれか一項に記載の方法。
【請求項５１】
該第２の透明層が、不連続な要素からなる遮蔽機能を規定するように適用される、請求項３０〜５０のいずれか一項に記載の方法。
【請求項５２】
該反射増強層の材料がエッチングによって除去され、該第２の透明層がエッチングレジストとして作用する、請求項３０〜５１のいずれか一項に記載の方法。
【請求項５３】
該光学的可変効果を生成するレリーフ構造が、ホログラム、回折格子、Ｋｉｎｅｇｒａｍ（商標）などの回折構造、またはプリズム構造などの非回折マイクロ光学構造を含む、請求項３０〜５２のいずれか一項に記載の方法。
【請求項５４】
該第１の透明層が、熱可塑性ポリマーまたは硬化性ポリマー、好ましくはＵＶ硬化性ポリマーを含む、請求項３０〜５３のいずれか一項に記載の方法。
【請求項５５】
該第１の透明層が、基材、好ましくはセキュリティー証書基材またはセキュリティー物品基材の一体部分を形成する、請求項３０〜５４のいずれか一項に記載の方法。
【請求項５６】
該第１の透明層が、基材、好ましくはセキュリティー証書基材またはセキュリティー物品基材上に配置されている、請求項３０〜５５のいずれか一項に記載の方法。
【請求項５７】
１つまたは２つ以上の透明接着剤層を適用することをさらに含む、請求項３０〜５６のいずれか一項に記載の方法。
【請求項５８】
請求項３０〜５７のいずれか一項により製造された、セキュリティーデバイス。